(57)【特許請求の範囲】
【請求項１】
鋼材、または硬質プラスチック製の丸パイプあるいは角パイプを用いて形成された機枠の下底部に、複数個の移動輪が回転自在になるよう設置されると共に、該機枠上に、左右両側に栽培用凹部を複数段に亘って階段状に設けた栽培用棚部材を水平状態に被冠固定して形成された温室外に移動可能とした温室における栽培用棚装置であって、
前記機枠は、その下端に、前記栽培用棚部材の下底部の巾と長さに合わせたベースとなる下部枠体が配設されると共に、該下部枠体上に、該栽培用棚部材の高さと巾に合わせて逆凹状に形成された上部枠体が一体に連結固定され、更に、該上部枠体の両側部に、前記栽培用棚部材の階段状に設けられた栽培用凹部部分を載置する載置用枠体が間隔を有して複数段に亘って階段状に突設され形成され、
前記栽培用棚部材は、前記機枠を構成する上部枠体の上端枠の長さと巾に合わせて形成された天板の両側端縁に、前記複数段に亘って設けられた各載置用枠体および下部枠体の両側端部に載置する、栽培用凹部を複数段に亘って設けた棚板を一体に連結固定して形成され、
前記栽培用凹部は、複数個の水抜き孔を穿設した底板の外周側縁に壁板を立設して形成され、植栽物を栽培する土を、前記底板と壁板とより成る栽培用凹部内に投入すると共に、該栽培された植栽物が上下方向に重なることがないように、下方へ行くに従い外方向へ拡開するようにして複数段に亘って階段状に連結固定して形成され、
更に、前記機枠を構成する上部枠体の上端枠に、前記栽培用棚部材の天板を一体に固定する一方、前記天板と上端枠とを貫通して、クレーンによって吊り上げるチェーンを貫挿するフックを１個、または複数個固定したことを特徴とする温室外に移動可能とした温室における栽培用棚装置。
【請求項２】
鋼材、または硬質プラスチック製の丸パイプあるいは角パイプを用いて形成された機枠の下底部に、複数個の移動輪が回転自在になるよう設置されると共に、該機枠上に、左右両側に栽培用凹部を複数段に亘って階段状に設けた栽培用棚部材を長手方向いずれか一方側へ傾斜して被冠固定して形成された温室外に移動可能とした温室における栽培用棚装置であって、
前記機枠は、その下端に、前記栽培用棚部材の下底部の巾と長さに合わせたベースとなる下部枠体が配設されると共に、該下部枠体上に、該栽培用棚部材の高さと巾に合わせて逆凹状に形成された上部枠体が一体に連結固定され、更に、該上部枠体の両側部に、前記栽培用棚部材の階段状に設けられた栽培用凹部部分を載置する載置用枠体が間隔を有して複数段に亘って階段状に突設され形成され、
前記栽培用棚部材は、前記機枠を構成する上部枠体の上端枠の長さと巾に合わせて形成された天板の両側端縁に、前記複数段に亘って設けられた各載置用枠体および下部枠体の両側端部に載置する、栽培用凹部を複数段に亘って設けた棚板を一体に連結固定して形成され、
前記栽培用凹部は、１個、または複数個の水抜き孔を前記機枠の低くなった側に位置する底板の端縁部側に穿設すると共に、該水抜き孔に排水口が地面上に接地するようにして排水用ホースを取付け、且つ前記底板の外周側縁に壁板を立設して形成され、植栽物を栽培する土を、前記底板と壁板とより成る栽培用凹部内に投入すると共に、該栽培された植栽物が上下方向に重なることがないように、下方へ行くに従い外方向へ拡開するようにして複数段に亘って階段状に連結固定して形成され、
更に、前記機枠を構成する上部枠体の上端枠に、前記栽培用棚部材の天板を一体に固定する一方、前記天板と上端枠とを貫通して、クレーンによって吊り上げるチェーンを貫挿するフックを１個、または複数個固定したことを特徴とする温室外に移動可能とした温室における栽培用棚装置。
【発明の詳細な説明】
【技術分野】
【０００１】
本発明は、例えば、ガラスや、ビニールフィルム、あるいはポリエチレンフィルム等で形成された温室内で、イチゴ、サニーレタスや菊等の果実、野菜や花等の栽培物を、移動可能な栽培用棚で栽培し、収穫時期になった栽培物を栽培用棚ごと温室から引き出し、そのまま牽引移動、または押圧移動させるか、あるいは該引き出された栽培用棚をクレーン等で吊り上げて、運搬車に乗せて、高速道路のパーキングエリア、一般道に面した空地等へ移動して降ろし、前記イチゴ等の栽培物をドライバー等の顧客に、新鮮な状態で摘み取る等の方法により収穫させ、収穫後は再び栽培用棚を温室内に戻すことができるようにした温室外に移動可能とした温室における栽培用棚装置に関する。
【背景技術】
【０００２】
従来、温室内で栽培されたイチゴ、サニーレタスや菊等の果実、野菜や花等の栽培物を、栽培業者が顧客に提供する場合は、顧客が温室内まで足を運び、栽培物を摘み取る等の方法により、該栽培物を収穫しており、前記栽培物を栽培用棚に植裁したまま、温室から外へ運び出すことができる栽培用棚は実用に供されていなかった。
【０００３】
また、前記温室における栽培用棚を移動自在として、該温室内より引き出して移動するようにした技術思想につき、過去の特許文献を遡及検索しても、先行文献を一件も発見することができなかった。そして、単に、キャスター付き栽培棚につき記載した下記の特許文献を確認した。
【０００４】
【特許文献１】特開２００５−４６０２５号公報
【発明の開示】
【発明が解決しようとする課題】
【０００５】
前記のように、従来は、温室内で栽培されたイチゴ、サニーレタスや菊等の果実、野菜や花等の栽培物を栽培用棚ごと、温室の外へ引き出し、任意の場所へ移動させることができないため、顧客が、例えば、温室内で栽培されたイチゴを摘み取る、所謂、「イチゴ狩り」をする場合、顧客はいちいち温室まで出向いて、「イチゴ狩り」を楽しまねばならず、極めて不便であるという課題があった。
【０００６】
また、特許文献１に記載されたものは、「温室内に於ける植物の高設栽培方法及びそのキャスター付き栽培棚」であって、キャスターを介して栽培棚が移動するが、その移動範囲は温室内であり、該各栽培棚をキャスターを介して並列密集状態に並べることによって、栽培面積を広げることができるという効果を奏するが、栽培棚を温室外まで移動させるという技術思想については、全く開示されていないし、またそれを示唆する記載もない。
【０００７】
本発明は、前記観点より発明をなしたもので、温室内において移動可能に設置された栽培用棚で、果実、野菜や花等の栽培物を栽培し、収穫時期になった栽培物を、栽培用棚ごと温室から引き出し、そのまま牽引、または押圧移動させるか、あるいはクレーン等で吊り上げて、運搬車に乗せて高速道路のパーキングエリア、一般道に面した空地等まで移動して降ろし、栽培物を顧客に収穫させるようにした温室外に移動可能とした温室における栽培用棚装置を提供しようとするものである。
【課題を解決するための手段】
【０００８】
本発明は、鋼材、または硬質プラスチック製の丸パイプあるいは角パイプを用いて形成された機枠の下底部に、複数個の移動輪が回転自在になるよう設置されると共に、該機枠上に、左右両側に栽培用凹部を複数段に亘って階段状に設けた栽培用棚部材を水平状態に被冠固定して形成された温室外に移動可能とした温室における栽培用棚装置であって、
前記機枠は、その下端に、前記栽培用棚部材の下底部の巾と長さに合わせたベースとなる下部枠体が配設されると共に、該下部枠体上に、該栽培用棚部材の高さと巾に合わせて逆凹状に形成された上部枠体が一体に連結固定され、更に、該上部枠体の両側部に、前記栽培用棚部材の階段状に設けられた栽培用凹部部分を載置する載置用枠体が間隔を有して複数段に亘って階段状に突設され形成され、
前記栽培用棚部材は、前記機枠を構成する上部枠体の上端枠の長さと巾に合わせて形成された天板の両側端縁に、前記複数段に亘って設けられた各載置用枠体および下部枠体の両側端部に載置する、栽培用凹部を複数段に亘って設けた棚板を一体に連結固定して形成され、
前記栽培用凹部は、複数個の水抜き孔を穿設した底板の外周側縁に壁板を立設して形成され、植栽物を栽培する土を、前記底板と壁板とより成る栽培用凹部内に投入すると共に、該栽培された植栽物が上下方向に重なることがないように、下方へ行くに従い外方向へ拡開するようにして複数段に亘って階段状に連結固定して形成され、
更に、前記機枠を構成する上部枠体の上端枠に、前記栽培用棚部材の天板を一体に固定する一方、前記天板と上端枠とを貫通して、クレーンによって吊り上げるチェーンを貫挿するフックを１個、または複数個固定するという手段、または、
鋼材、または硬質プラスチック製の丸パイプあるいは角パイプを用いて形成された機枠の下底部に、複数個の移動輪が回転自在になるよう設置されると共に、該機枠上に、左右両側に栽培用凹部を複数段に亘って階段状に設けた栽培用棚部材を長手方向いずれか一方側へ傾斜して被冠固定して形成された温室外に移動可能とした温室における栽培用棚装置であって、
前記機枠は、その下端に、前記栽培用棚部材の下底部の巾と長さに合わせたベースとなる下部枠体が配設されると共に、該下部枠体上に、該栽培用棚部材の高さと巾に合わせて逆凹状に形成された上部枠体が一体に連結固定され、更に、該上部枠体の両側部に、前記栽培用棚部材の階段状に設けられた栽培用凹部部分を載置する載置用枠体が間隔を有して複数段に亘って階段状に突設され形成され、
前記栽培用棚部材は、前記機枠を構成する上部枠体の上端枠の長さと巾に合わせて形成された天板の両側端縁に、前記複数段に亘って設けられた各載置用枠体および下部枠体の両側端部に載置する、栽培用凹部を複数段に亘って設けた棚板を一体に連結固定して形成され、
前記栽培用凹部は、１個、または複数個の水抜き孔を前記機枠の低くなった側に位置する底板の端縁部側に穿設すると共に、該水抜き孔に排水口が地面上に接地するようにして排水用ホースを取付け、且つ前記底板の外周側縁に壁板を立設して形成され、植栽物を栽培する土を、前記底板と壁板とより成る栽培用凹部内に投入すると共に、該栽培された植栽物が上下方向に重なることがないように、下方へ行くに従い外方向へ拡開するようにして複数段に亘って階段状に連結固定して形成され、
更に、前記機枠を構成する上部枠体の上端枠に、前記栽培用棚部材の天板を一体に固定する一方、前記天板と上端枠とを貫通して、クレーンによって吊り上げるチェーンを貫挿するフックを１個、または複数個固定するという手段、
を採用することにより、上記課題を解決した。
【発明の効果】
【０００９】
請求項１記載の発明によれば、温室内で、イチゴ、サニーレタスや菊等の果実、野菜や花等の栽培物を、移動可能な栽培用棚で栽培し、収穫時期になった栽培物を栽培用棚ごと温室から引き出し、そのまま牽引移動、または押圧移動させるか、あるいは該引き出された栽培用棚をクレーンで吊り上げて、運搬車に乗せて、高速道路のパーキングエリア、一般道に面した空地等へ移動して降ろし、前記イチゴ等の栽培物をドライバー等の顧客に、新鮮な状態で摘み取る等の方法により収穫させ、収穫後は再び栽培用棚を温室内に戻すことができるので、従来のように、顧客が、例えば、温室内で栽培されたイチゴを摘み取る、所謂、「イチゴ狩り」をする場合、顧客はいちいち温室まで出向くことなく、「イチゴ狩り」を楽しむことができ、生産者にとっては収益の増加を図ることができる。
請求項２記載の発明によれば、前記請求項１記載の発明の効果の外に、土内に散水された後、土中に吸水されなかった余分な水が地面上に滴下することがなく、地面上に直接流下するので、顧客は前記水で衣服や靴を汚す虞れがない。
【発明を実施するための最良の形態】
【００１０】
本発明は、ガラス、ビニールフィルム、あるいはポリエチレンフィルム等で形成された温室内で栽培する栽培物を、移動可能な栽培用棚で栽培し、該栽培用棚を温室内へ引き出し、温室外の任意の場所へ移動可能とした温室における栽培用棚装置である。
【実施例１】
【００１１】
以下、本発明の実施例１を図面に基づいて詳細に説明する。図１は、本発明実施例１の温室外へ移動可能とした温室における栽培用棚装置の一部を切欠いて示す全体の斜視図、図２は、同縦断面図、図３は、同平面図、図４は、本発明栽培用棚装置を構成する機枠全体の平面図、図５は、本発明栽培用棚装置を温室内において並列密集させた状態を示す概略説明図である。
【００１２】
本発明温室外へ移動可能とした温室における栽培用棚装置Ａは、鋼材、または硬質プラスチック製の丸パイプ、または角パイプを用いて形成された機枠１の下底部に、複数個のタイヤ、あるいはキャスター等の移動輪２が回転自在になるよう設置されると共に、該機枠１上に、左右両側に栽培用凹部３を複数段に亘って階段状に設けた栽培用棚部材４を、水平状態に被冠固定して形成されている。
【００１３】
前記機枠１は、その下端に、前記栽培用棚部材４の下底部の巾と長さに合わせたベースとなる下部枠体５が配設されると共に、該下部枠体５上に、該栽培用棚部材４の高さと巾に合わせて逆凹状に形成された上部枠体６が一体に連結固定され、更に、該上部枠体６の両側部に、前記栽培用棚部材４の階段状に設けられた栽培用凹部３部分を載置する載置用枠体７が間隔を有して複数段に亘って階段状に突設されている。なお、前記下部枠体５の両側端部は、最下段の載置用枠体としての役目を果たす。
【００１４】
前記下部枠体３および上部枠体６、並びに前記複数段に亘って設けられた載置用枠体７には、それぞれ補強杆８が連結固定されて、その強度性が保持されている。
【００１５】
一方、前記栽培用棚部材４は、鋼板、または強化プラスチックにより、前記機枠１に被冠固定できるように、両側がそれぞれ外方へ拡開した逆凹状に形成されている。すなわち、栽培用棚部材４は、前記機枠１を構成する上部枠体６の上端枠９の長さと巾に合わせて形成された天板１０の両側端縁に、前記複数段に亘って設けられた各載置用枠体７および下部枠体５の両側端部に載置する、栽培用凹部３を複数段に亘って設けた棚板１１を一体に連結固定して形成されている。
【００１６】
前記各栽培用凹部３は、図に示すように、底板１２の外周側縁に壁板１３を立設して形成され、果実等の植栽物１４を栽培する土１５を、前記底板１２と壁板１３とより成る栽培用凹部３内に投入すると共に、該栽培された植栽物１４が上下方向に重なることがないように、下方へ行くに従い外方向へ拡開するようにして複数段に亘って階段状に連結固定して形成されている。なお、前記底板１２には、土１５内に散水され、該土１５中に吸水されなかった余分な水分を排出するための、複数個の水抜き孔１６が穿設されている。
【００１７】
また、前記栽培用棚部材４は、機枠１に上方部より水平状態に被冠固定されるが、前記機枠１を構成する上部枠体６の上端枠９に天板１０をボルト等（図示せず）によって一体に固定し、更に、該天板１０と上端枠９とを貫通して、クレーンＣ（図１においては、クレーン本体は図示せず、クレーンのフックのみが図示されている）によって吊り上げるためのチェーン１７を貫挿するフック１８を１個、または複数個固定して形成されている。
【００１８】
前記構成より成る本発明実施例１による栽培用棚装置Ａの作用について説明する。温室Ｈ内に設置された本発明栽培用棚装置Ａを構成する栽培用棚部材４の各棚板１１の栽培用凹部３内に土１５を投入して、該土１５内にイチゴ等の植栽物１４の種子を蒔く。その後、本発明栽培用棚装置Ａは、従来同様植栽物１４の収穫時までは、温室Ｈ内に留置しておく。
【００１９】
そして、イチゴ等の植栽物１４が成育して収穫時となったときは、本発明栽培用棚装置Ａを移動輪２を介して、温室Ｈ外へ押し出し、然る後、チェーン１７にクレーンＣを掛止して、該クレーンＣによって本発明栽培用棚装置Ａを吊り上げて、一旦トラック等の運搬車に乗せ、運搬車ごと高速道路のパーキングエリア、一般道に面した空地等まで移動し、再びクレーンＣで本発明栽培用棚装置Ａを吊り上げて、前記パーキングエリアや空地等に降ろして、ドライバー等の顧客に自由に、イチゴ等の植栽物１４を摘み取る等の収穫作業をさせることができる。
【００２０】
また、本発明栽培用棚装置ＡをクレーンＣで吊り上げることなく、前記パーキングエリアや空地まで移動させることができる場合は、そのまま移動輪２を介して、牽引移動、または押圧移動させることも可能である。
【００２１】
一旦、温室Ｈから引き出された本発明栽培用棚装置Ａは、前記とは逆に、パーキングエリアや空地からクレーンＣで吊り上げて、トラック等の運搬車に乗せ温室Ｈ外まで移送して、再びクレーンＣで吊り上げて降ろし、移動輪２を介して押圧移動させて、温室Ｈ内へ押圧移動させる。更に、本発明栽培用棚装置Ａは、前記作用の外に、図５に示すように、複数の本発明栽培用棚装置Ａを並列密集して集合させることもできるので、狭い温室の有効利用をも図ることができる。
【実施例２】
【００２２】
次に、本発明の実施例２を図面に基づいて詳細に説明する。実施例２は、前記実施例１の変形である。すなわち、前記実施例１は、栽培用棚部材４が機枠１上に水平状態に被冠固定され、且つ各栽培用凹部３内の底板１２に、土１５内に散水され、該土１５中に吸水されなかった余分な水分を排出するための水抜き孔１６が穿設されているため、例えば、顧客が果実等を収穫するときに、前記地面より上方に位置する水抜き孔１６より、水が滴下して、衣服や靴等を汚してしまうという虞れがあるため、本発明の実施例２は、これらの虞れがないようにしたものである。以下、実施例２につき説明する。なお、実施例２において、実施例１と共通する符号はそのまま使用して説明する。
【００２３】
本発明の実施例２による栽培用棚装置Ｂは、栽培用棚部材２４が、機枠２１に、該機枠２１の長手方向いずれか一方側へ傾斜して被冠固定して形成されている。
前記栽培用棚部材２４を機枠２１上に、長手方向いずれか一方側へ傾斜して被冠固定させる手段としては、特に限定する必要はないが、好ましくは、図６に示すような構成とすることが推奨される。すなわち、本発明の実施例２による栽培用棚装置Ｂは、図６の正面図に示すように、該機枠２１を、その長手方向いずれか一方側（図６においては、左側方向）が低くなるように、傾斜して形成し、且つ該機枠２１上に栽培用棚部材２４を被冠固定して形成されている。
【００２４】
前記構成より成る機枠２１上に被冠固定される栽培用棚部材２４の各栽培用凹部２３内の底板３２に、実施例１におけるような複数個の水抜き孔１６を、底板３２のほぼ全面に亘って穿設することなく、前記機枠２１の低くなった側に位置する前記各栽培用凹部２３内の各底板３２の端縁部側に、１個、または複数個の水抜き孔３６をそれぞれ穿設すると共に、該各水抜き孔３６に、排水口３７が地面上に接地するようにして、排水用ホース３８を取付けて形成してある。
【００２５】
前記構成より成る栽培用棚部材２４を機枠２１上に被冠固定すると、該栽培用棚部材２４は一方側が低くなって傾斜して配設され、土１５内に散水され、該土１５中に吸水されなかった余分な水は、底板３２へ流下し、然る後、該底板３２の傾斜面に沿って低くなった水抜き孔３６側へ流れ、排水用ホース３８を経て、排水口３７から地面上に排水され、実施例１におけるような、地面上に滴下することはない。
【００２６】
前記構成より成る実施例２による本発明栽培用棚装置Ｂの作用について説明する。栽培用棚部材２４が、長手方向いずれか一方側へ低くなるように傾斜して形成された機枠２１に被冠固定されることにより、前記栽培用棚部材２４も傾斜するので、土１５内に散水され、該土１５中に吸水されなかった余分な水は、必ず底板３２の低くなった側に穿設された水抜き孔３６側へ流れ、排水用ホース３８を経て、排水口３７から地面上に排水されるので、顧客の衣服や靴等を汚すことがない。なお、その他の作用、および効果は、実施例１のものと同一であるので、説明を省略する。
【図面の簡単な説明】
【００２７】
【図１】本発明実施例１の温室外へ移動可能とした温室における栽培用棚装置の一部を切欠いて示す全体の斜視図である。
【図２】同縦断面図である。
【図３】同平面図である。
【図４】本発明実施例１の温室外へ移動可能とした温室における栽培用棚装置を構成する機枠全体の平面図である。
【図５】本発明実施例１の温室外へ移動可能とした温室における栽培用棚装置を、温室内において並列密集させた状態を示す概略説明図である。
【図６】本発明実施例２の温室外へ移動可能とした温室における栽培用棚装置を構成する機枠全体の正面図である。
【図７】本発明実施例２の温室外へ移動可能とした温室における栽培用棚装置の平面図である。
【図８】同縦断面図である。
【符号の説明】
【００２８】
Ａ・Ｂ    栽培用棚装置
Ｈ    温室
Ｃ    クレーン
１    機枠
２    移動輪
３    栽培用凹部
４    栽培用棚部材
５    下部枠体
６    上部枠体
９    上端枠
１０  天板
１７  チェーン
１８  フック
２１  機枠
２３  栽培用凹部
２４  栽培用棚部材
３２  底板
３６  水抜き孔
３７  排水口
３８  排水用ホース
【図１】
0005074173.tif 000002
【図２】
0005074173.tif 000003
【図３】
0005074173.tif 000004
【図４】
0005074173.tif 000005
【図５】
0005074173.tif 000006
【図６】
0005074173.tif 000007
【図７】
0005074173.tif 000008
【図８】
0005074173.tif 000009